(57)【特許請求の範囲】
【請求項１】
洗浄タンクの内部に延びたレバーアームに、可撓性を有する第１引上げ材の上端側を接続するとともに、下端側をタンク底部の排水弁としてのフラッパ弁に接続して成るタンク内洗浄水の排出装置において、
前記フラッパ弁には、前記タンクに対する正面視における該フラッパ弁の左右方向の中心よりも右側位置と左側位置とのそれぞれに、前記引上げ材の下端側を接続するための取付部を備えたことを特徴とするタンク内洗浄水の排出装置。
【請求項２】
請求項１において、前記フラッパ弁の前記右側位置と左側位置の取付部は、前記タンクの左右方向の中心に対して左右対称形状となしてあることを特徴とするタンク内洗浄水の排出装置。
【請求項３】
請求項１，２の何れかにおいて、前記フラッパ弁には、該フラッパ弁の前記左右方向の中心位置に、前記レバーアームに上端側を接続された第２引上げ材の下端側を接続するための取付部を備えたことを特徴とするタンク内洗浄水の排出装置。
【請求項４】
請求項３において、前記第２引上げ材の接続のための前記取付部は、前記タンクの左右方向の中心位置に備えてあることを特徴とするタンク内洗浄水の排出装置。
【発明の詳細な説明】
【技術分野】
【０００１】
この発明は、洗浄タンクの内部に貯溜された洗浄水を、タンク底部の排水口より便器に向けて排出させるタンク内洗浄水の排出装置に関する。
【背景技術】
【０００２】
洗浄タンクのタンク壁に設けられた洗浄ハンドルに連結されてタンク内部に延びたレバーアームに、可撓性を有する引上げ材（第１引上げ材）の上端側を接続するとともに、下端側をタンク底部の排水弁としてのフラッパ弁に接続して成るタンク内洗浄水の排出装置が従来公知である。
【０００３】
このタンク内洗浄水の排出装置では、洗浄タンク（以下単にタンクとすることがある）に対する正面視において、洗浄ハンドルを右側のタンク壁の外面に取り付けている（即ち右ハンドルである）場合が一般的である。
【０００４】
ところが、例えばマンション等の集合住宅において右側のタンク壁のすぐ近くを配管が通っていたりする等の理由で、右側のタンク壁に洗浄ハンドルを取り付けることが困難である場合があり、このような場合にはやむなく左側のタンク壁に洗浄ハンドルを取り付けざるを得ない（即ち左ハンドルとせざるを得ない）ことがある。
このため、従来にあっては右ハンドル用と左ハンドル用とに別々のフラッパ弁を用意しておかなければならないといった問題を生じていた。
【０００５】
引上げ材の下端側を、タンクに対する正面視において、フラッパ弁の左右方向の中心から左右に外れた位置に接続する形態のタンク内洗浄水の排出装置では、右ハンドルの場合には引上げ材の下端側の接続のための取付部を、フラッパ弁の左右方向の中心よりも右側位置に配置するのが普通であり、この場合同じフラッパ弁を用いては左ハンドルに対応できないために、左右方向の中心よりも左側に取付部を備えたフラッパ弁を別途に用意しておくことが必要であった。
【０００６】
ところが洗浄ハンドルを左側のタンク壁に取り付けるケースは、右側のタンク壁に洗浄ハンドルを取り付けるケースに比べて１％程度と極めて少なく、それにも拘らず右ハンドル用と左ハンドル用とにフラッパー弁を別々に用意しておくといったことは、在庫管理も複雑化し、コストを高める要因となるなど不経済である。
【０００７】
尚、下記特許文献１には「排水弁操作装置及びそれを備えたタンク」についての発明が示され、そこにおいて伸縮自在機構により排水弁の引上げ部をタンク中央に配置することで、洗浄ハンドルをタンク壁の左，右何れにも取付可能とした点が開示されている。
またこの特許文献１には、鎖（引上げ材）を排水弁の中心に接続した点が図面上表されている。
但しこの特許文献１に開示のものでは、排水弁が、左右方向の中心から左右に外れた位置に引上げ材の接続用の取付部を備えたフラッパ弁である場合に、右ハンドルと左ハンドルとの何れにも同じフラッパ弁にて対応するといったことはできない。
【０００８】
他方、下記特許文献２には「便器洗浄タンク装置」についての発明が示され、そこにおいて上下に重なった２つのフラッパ弁に対してそれぞれ別々の玉鎖（引上げ材）を接続し、洗浄ハンドルの操作によって大小洗浄を切り替えるようになした点が開示されている。
但しこの特許文献２に開示のものにおいても、洗浄ハンドルが右ハンドルである場合と左ハンドルである場合との何れにも、同じフラッパ弁で対応するといったことはできない。
【先行技術文献】
【特許文献】
【０００９】
【特許文献１】特開２００２−５４２１０号公報
【特許文献２】特開２００２−１２１７９９号公報
【発明の概要】
【発明が解決しようとする課題】
【００１０】
本発明は以上のような事情を背景とし、洗浄ハンドルが右ハンドル仕様であっても左ハンドル仕様であっても、何れにも同一のフラッパ弁を用いて対応することのできるタンク内洗浄水の排出装置を提供することを目的としてなされたものである。
【課題を解決するための手段】
【００１１】
而して請求項１のものは、洗浄タンクの内部に延びたレバーアームに、可撓性を有する第１引上げ材の上端側を接続するとともに、下端側をタンク底部の排水弁としてのフラッパ弁に接続して成るタンク内洗浄水の排出装置において、前記フラッパ弁には、前記タンクに対する正面視における該フラッパ弁の左右方向の中心よりも右側位置と左側位置とのそれぞれに、前記引上げ材の下端側を接続するための取付部を備えたことを特徴とする。
【００１２】
請求項２のものは、請求項１において、前記フラッパ弁の前記右側位置と左側位置の取付部は、前記タンクの左右方向の中心に対して左右対称形状となしてあることを特徴とする。
【００１３】
請求項３のものは、請求項１，２の何れかにおいて、前記フラッパ弁には、該フラッパ弁の前記左右方向の中心位置に、前記レバーアームに上端側を接続された第２引上げ材の下端側を接続するための取付部を備えたことを特徴とする。
【００１４】
請求項４のものは、請求項３において、前記第２引上げ材の接続のための前記取付部は、前記タンクの左右方向の中心位置に備えてあることを特徴とする。
【発明の作用・効果】
【００１５】
以上のように本発明は、タンク内洗浄水の排出装置において、フラッパ弁には、タンクに対する正面視におけるフラッパ弁の左右方向の中心よりも右側位置と左側位置とのそれぞれに、引上げ材（第１引上げ材）の下端側を接続するための取付部を備えたものである。
【００１６】
かかる本発明では、引上げ材（第１引上げ材）をフラッパ弁の左右方向の中心から左右に外れた位置に接続するタンク内洗浄水の排出装置において、洗浄ハンドルが右側のタンク壁に取り付けられる右ハンドルの場合には、右側位置の取付部に引上げ材を接続し、また洗浄ハンドルが左側のタンク壁に取り付けられる左ハンドルの場合には、左側位置の取付部に引上げ材を接続することで、同じフラッパ弁を用いて右ハンドルと左ハンドルとの何れにも対応することが可能である。
これにより必要なフラッパ弁の種類を少なくし、コストダウンを図ることができる。
【００１７】
本発明では、フラッパ弁の上記の右側位置と左側位置の取付部を、タンクの左右方向の中心に対して左右対称形状（左右対称形状とは左右対称位置であることも含む）となしておくことができる（請求項２）。
このようにしておけば、引上げアームとして同じ長さのものを用いた場合、引上げアームにおける引上げ材の取付部と、フラッパ弁における引上げ材の取付部との相対的な位置関係を、右ハンドルと左ハンドルとで同じ（位置関係が両者で左右対称となる点を除いて）位置関係とすることができ、同じフラッパ弁を用いながら洗浄操作時に右ハンドルと左ハンドルとの何れの場合も、フラッパ弁を同じように動作させることが可能となる。
【００１８】
タンク内洗浄水の排出装置として、第１引上げ材と第２引上げ材とを設けて、それぞれの上端側をレバーアームに接続し、また各下端側をフラッパ弁に接続して、それら第１引上げ材と第２引上げ材の引上げを切り替えることで大，小洗浄を切り替えるようになしたものにあっては、請求項３に従って、フラッパ弁の左右方向の中心位置に第２引上げ材の下端側を接続するための取付部を備えておくことができる。
【００１９】
このように大，小洗浄の切替用に第１引上げ材と第２引上げ材とを備えたタンク内洗浄水の排出装置にあっても、請求項３によれば、同じフラッパ弁を用いて右ハンドルの場合と左ハンドルの場合との何れにも対応することが可能である。
尚この場合において、第１引上げ材を大洗浄用とし、第２引上げ材を小洗浄用とすることも、また逆に第１引上げ材を小洗浄用とし、第２引上げ材を大洗浄用とすることも可能である。
【００２０】
この請求項３においても、第２引上げ材の接続のための取付部を、タンクの左右方向の中心位置に備えておくことができる（請求項４）。
つまりこの場合には、タンクの左右方向の中心とフラッパ弁の左右方向の中心とが一致している。
【図面の簡単な説明】
【００２１】
【図１】本発明の実施形態のタンク内洗浄水の排出装置を洗浄タンク等とともに示した図である。
【図２】図１のフラッパ弁とその周辺部を示した図である。
【図３】図２のフラッパ弁と周辺部を各部品に分解して示した斜視図である。
【図４】図２のフラッパ弁とその周辺部を拡大して示した図である。
【図５】同実施形態におけるレバーアームと周辺部を示した図である。
【図６】同レバーアームの要部を夫々拡大して示した図である。
【図７】同レバーアームの要部を図６とは異なった方向で示した図である。
【図８】同レバーアームの要部と玉鎖との結合関係を示した図である。
【図９】同レバーアームの要部の作用説明図である。
【図１０】同レバーアームの利点を説明するために比較例を示した比較例図である。
【図１１】大洗浄時におけるフラッパ弁とフロート等の作用説明図である。
【図１２】図１１に続く作用説明図である。
【図１３】図１２に続く作用説明図である。
【図１４】小洗浄時におけるフラッパ弁とフロート等の作用説明図である。
【図１５】図１４に続く作用説明図である。
【図１６】本発明の他の実施形態の図である。
【発明を実施するための形態】
【００２２】
次に本発明の実施形態を図面に基づいて詳しく説明する。
図１において、１０は洗浄タンク（以下単にタンクとする）で、アウタタンク１２と、インナタンク１４とを有している。
図中１６はタンク１０の底部を、１８はタンク壁を、更に１８Ｌはタンク壁１８における左側のタンク壁を、１８Ｒは右側のタンク壁をそれぞれ表している。
タンク１０の底部１６には、図２に示しているように内部の洗浄水を便器に向けて排出する排水口２０と、これを開閉する排水弁としてのフラッパ弁２２とが設けられている。
図２において、２４は排水口２０に連通して設けられたオーバーフロー管で、タンク１０の内部において底部１６から上向きに立ち上がっている。
【００２３】
フラッパ弁２２は、図３及び図４に詳しく示しているようにシール部材２６を保持した円板状の弁部２８と、これから図中右方に延び出した一対のアーム３０とを有している。
アーム３０の夫々の図中右端部には、フック状の掛止部３２が設けられており、これら一対の掛止部３２が、オーバーフロー管２４の周方向に１８０°隔たった２個所から突出した軸部３４に回転可能に下向きに掛止されている。
フラッパ弁２２は、軸部３４に対する掛止部３２の掛止に基づき、軸部３４周りに回転運動することによって開閉動作する。
【００２４】
図１において、３５は引上げ材としての玉鎖で、この玉鎖３５は大洗浄用の玉鎖（第１引上げ材）３６と、小洗浄用の玉鎖（第２引上げ材）７０とから成っている。
これら大洗浄用の玉鎖３６と小洗浄用の玉鎖７０とは、それぞれ一定ピッチで配置された玉３８と、それらを繋ぐ線材から成る繋ぎ材４０とから成っている。
【００２５】
フラッパ弁２２の弁部２８には、図１及び図３に示すように外周部の２個所、詳しくはタンク１０に対する正面視において、タンク１０の左右方向の中心よりも右側位置と左側位置とに、玉鎖３６の取付部４２Ｒ，４２Ｌが設けられている。
【００２６】
この実施形態において、フラッパ弁２２の左右方向の中心とタンク１０の左右方向の中心とは一致しており、それらの左右方向の中心に対して、上記取付部４２Ｒ，４２Ｌは左右対称形状で設けられている。
詳しくは、タンク１０の左右方向の中心を通って前後方向（図１中紙面と直交方向）に延びる中心面Ｐを対称面として、取付部４２Ｒと４２Ｌとが左右対称形状で設けられている。
尚ここで左右対称形状とは、取付部４２Ｒ，４２Ｌが左右対称位置に位置していることも含む。
これら取付部４２Ｒ，４２Ｌのそれぞれは、図３に示しているように繋ぎ材４０を挿通する挿通孔１２０と、挿通された繋ぎ材４０の上側の玉３８と下側の玉３８とに係合する係合部１２２とを有している。
【００２７】
右側の取付部４２Ｒは右ハンドル用、即ち洗浄ハンドル９４が右側のタンク壁１８Ｒに取り付けられた場合の右ハンドル用の取付部で、取付部４２Ｌは、洗浄ハンドル９４が左側のタンク壁１８Ｌに取り付けられた場合の左ハンドル用の取付部である。
ここでは洗浄ハンドル９４が右側のタンク壁１８Ｒに取り付けられており、そこで大洗浄用の玉鎖３６が右側の、即ち右ハンドル用の取付部４２Ｒに取り付けられている。
尚、図４に示しているように排水口２０の上端の開口周りに設けられた弁座４４は、図中左方向に向って斜め下向きに傾斜しており、従ってフラッパ弁２２は、閉弁状態で弁部２８が同じく左方向に向って斜め下向きに傾斜した状態となる。
【００２８】
図４において、４６はフラッパ弁２２の動作を小洗浄動作に切り替える切替機構で、この切替機構４６は、弁部２８の下側に空気チャンバ４８を有している。この空気チャンバ４８は、内側に空気室５０を形成している。
尚この空気チャンバ４８は、下部が下向きに先細りとなるテーパ部５２とされている。このテーパ部５２の下端は開口部５４とされ、また上部には貫通の細孔５５が設けられている。
ここで細孔５５は、空気室５０内部を満たした水を開口部５４から抜く際に、空気室５０内部に空気を導入するための孔である。
尚この細孔５５は、空気室５０に空気が保持された状態の下で、その内部空気が水中に漏出できない程度の小さな孔である。
【００２９】
フラッパ弁２２に備えられた切替機構４６はまた、円筒状の筒壁５６と、筒壁５６の上端の開口を閉鎖する上壁部８２とを有するハウジング４７と、その内部に図中上下方向に摺動可能に収容され、空気室５０の上端の開口５７を開閉する空気抜き弁５８と、空気抜き弁５８を図中下向きの閉弁方向に付勢する付勢部材としてのばね（ここではコイルばね）６０とを有している。
【００３０】
ここで空気抜き弁５８は、シール部材６２を保持した円板状の弁部６４と、内部中空の軸部６６とを有している。
軸部６６の端部は、挿通孔１２０及び係合部１２２（図３参照）を有する取付部６８とされており、そこに玉３８と繋ぎ材４０とを有する小洗浄用の玉鎖７０の下端部が固定状態に取り付けられている。
ここで取付部６８は、フラッパ弁２２の左右方向の中心、即ちタンク１０の左右方向の中心に位置している。
またハウジング４７における筒壁５６には、これを貫通して水流入口７２が設けられている。
【００３１】
上記空気チャンバ４８は、図３及び図４に示しているようにその大部分をなすキャップ１４６と、その取付部１４８とを有している。
取付部１４８には係止孔１５０が、またキャップ１４６の側には係止爪１５２が設けられ、それらが弾性係止されることで、空気チャンバ４８が取付部１４８に上向きに差込状態に取り付けられている。
【００３２】
本実施形態において、切替機構４６は次のように働く。
空気抜き弁５８が閉弁状態にあり、空気室５０に空気が溜められた状態の下では、フラッパ弁２２は開弁及び閉弁によって大洗浄、即ち便器に向けて洗浄水を大量排出する大洗浄のための動作を行う。
【００３３】
一方空気抜き弁５８を図中上向きに引き上げて開弁させると、ここにおいて筒壁５６周りの外部の水が、流入口７２より筒壁５６内部に流入し、更に開口５７を通じて空気室５０に入り込み、空気室５０を水で埋める。
このときにはフラッパ弁２２は小洗浄、即ち便器に向けて洗浄水を少量排出する小洗浄のための動作を行う。
即ちこの実施形態では、空気抜き弁５８を開弁させることによって、フラッパ弁２２の動作を小洗浄の動作に切り替える。
尚その切替えの具体的な原理については後述する。
【００３４】
７４は、後述のフロート８４の重みを受けて下向きの力をフラッパ弁２２に対して伝達し、フラッパ弁２２に下向きの閉弁方向の力を及ぼす円筒形状の筒体で、その内部に小洗浄用の玉鎖７０を挿通させる状態に玉鎖７０に取り付けられている。
【００３５】
７６は筒体７４のガイド部で、図３及び図４に示しているように筒体７４を間にして互いに対向する板状の一対のガイド壁７８，その下側の筒部８０を有しており、その筒部８０に、上記の上壁部８２及びこれから下向きに突出した嵌込部１５４が一体に形成されている。
この嵌込部１５４には係止爪１５６が設けられている。
【００３６】
一方上記の筒壁５６には、対応する係止孔１５８が設けられており、ガイド部７６は、嵌込部１５４を筒壁５６に内嵌状態に嵌め込み、そして係止爪１５６を係止孔１５８に係止させることで、筒壁５６に取り付けられている。即ちガイド部７６がフラッパ弁２２に設けられている。
上記筒体７４は、このガイド部７６における筒部８０を介して下向きの力をフラッパ弁２２に作用させる。
【００３７】
ここでガイド部７６は、小洗浄用の玉鎖７０の傾き側の方向には筒体７４の傾きを許容し、傾き側の方向とは直交する方向へはガイド壁７８の当接作用で傾き防止する働きをなす。
このガイド部７６における一対のガイド壁７８のそれぞれの上端部には、互いにハの字状に開いた案内部１６０が設けられている。
これら案内部１６０は、筒体７４を一対のガイド壁７８の間に挿入案内する部分である。
【００３８】
図１及び図２において、８４はフロートでドーナツ環状の密閉された空気室８６を有しており、そこに空気を保持している。
またその中心部には挿通孔８８を有し、その挿通孔８８に小洗浄用の玉鎖７０を上下方向に挿通させる状態に玉鎖７０に取り付けられている。
ここでフロート８４は、小洗浄用の玉鎖７０に沿って上下にスライド移動可能である。
【００３９】
図１に示しているように、小洗浄用の玉鎖７０には所定高さ位置にストッパ９０が固定状態に取り付けられている。
但しこのストッパ９０は、小洗浄用の玉鎖７０に対する固定位置を上下に調節することが可能である。
ストッパ９０は板状の部材であって、その中心部に繋ぎ材４０を挿通する挿通孔１２０と、係合部１２２とを備えた取付部１６２を有している。
【００４０】
ここでストッパ９０は、筒体７４が上記のガイド部７６の筒部８０に下向きに当った状態の下で、筒体７４の上端とストッパ９０との間の距離が、フロート８４の上下寸法よりも一定距離大となるような位置で、小洗浄用の玉鎖７０に固定されている。
従ってフロート８４は、筒体７４の上端とストッパ９０との間で小洗浄用の玉鎖７０に沿って所定距離上下にスライド移動することができる。
【００４１】
図１において、９２は洗浄ハンドル９４に連結されてタンク１０内に延出したレバーアームで、スピンドル部９６とレバー部１１２とを有している。
図５において、９８は洗浄ハンドル９４及びレバーアーム９２をタンク壁１８に取り付けるための取付部材で、雄ねじ部１００を有しており、そこにナット１０２がねじ込まれることでタンク壁１８に固定されている。
【００４２】
レバーアーム９２のスピンドル部９６は、先端側に角形状の雄嵌合部１０４と、弾性を有する嵌込部１０６とを有しており、その雄嵌合部１０４を洗浄ハンドル９４の対応する角形状の雌嵌合部１０８に嵌合させる状態に、嵌込部１０６が洗浄ハンドル９４に設けられた嵌込孔１１０に弾性的に嵌め込まれている。
これによりスピンドル部９６が、取付部材９８の中心の挿通孔を挿通して洗浄ハンドル９４に軸方向及び回転方向に固定されている。
ここでスピンドル部９６は、タンク内奥部に向って直線状に延びている。
【００４３】
スピンドル部９６の先端側には、スピンドル部９６に対して直角に湾屈曲したレバー部１１２が一体に設けられている。
ここでレバー部１１２は縦向き、即ち通常の状態において、垂直下向きに延びている。
尚この実施形態において、図５に示しているようにレバー部１１２は、ナット１０２を嵌めてこれを通過させることが可能なサイズである。スピンドル部９６もまた同様である。
【００４４】
レバー部１１２は、図６（Ｃ）及び図７に示しているように先端側（図中下端側）にヘッド部１１４を有している。
またヘッド部１１４は、その上端部に且つスピンドル部９６に対する先端側からの正面視において左，右の位置に、大洗浄側の取付部１１６と、小洗浄側の取付部１１８とを有している。
そして図８に示しているように取付部１１６に大洗浄用の玉鎖３６が、また取付部１１８に小洗浄用の玉鎖７０が、夫々固定状態に取り付けられている。
【００４５】
ここで各取付部１１６，１１８は、図６（Ａ），（Ｃ）及び図７に示しているように、夫々上記の繋ぎ材４０を上下方向に挿通する挿通孔１２０と、そこに挿通された繋ぎ材４０の上側の玉３８ａ（図８参照）と下側の玉３８ｂとに係合する係合部１２２とを有している。
大洗浄用の玉鎖３６及び小洗浄用の玉鎖７０の夫々は、繋ぎ材４０を挿通孔１２０に挿通し、上側の玉３８ａと下側の玉３８ｂとに係合部１２２を係合させることで各取付部１１６，１１８に取り付けられる。
これら取付部１１６，１１８に取り付けられた大洗浄用の玉鎖３６と小洗浄用の玉鎖７０とは、夫々取付部１１６，１１８から左，右に分かれて下向きに垂れ下がった状態となる。
【００４６】
ヘッド部１１４は、また、取付部１１６と１１８との左右の間の位置において、取付部１１６，１１８よりも設定距離下側位置まで垂直下向きに延び出た引上げアーム１２４を有している。
ここで引上げアーム１２４は板状のリブにて構成してある。
この引上げアーム１２４は、大洗浄用の玉鎖３６及び小洗浄用の玉鎖７０の何れにも固定されておらず、通常時においてそれらに対しフリーの状態にある。
【００４７】
そして大洗浄用の玉鎖３６，小洗浄用の玉鎖７０の夫々は、取付部１１６，１１８から引上げアーム１２４に沿って垂直下向きに垂れ下がった状態にある。
従ってこの状態で洗浄ハンドル９４を、図１中右からの正面視において反時計方向に回転させると、これと同方向にスピンドル部９６及び引上げアーム１２４が回転し、引上げアーム１２４がその先端部１２４ａを、大洗浄用の玉鎖３６に引掛けてこれを引き上げる。
【００４８】
ここにおいて玉鎖３６が直接（空気抜き弁５８を介することなく、つまり空気抜き弁５８に開弁の力を与えることなく）フラッパ弁２２を引き上げて開弁させ、タンク１０内の洗浄水を大量排出させて便器の大洗浄を行わせる。
このとき、小洗浄用の玉鎖７０は当然ながら引上げアーム１２４にて引き上げられることはなく、取付部１１８から垂れ下がったままとなる。
【００４９】
逆に洗浄ハンドル９４を、図１中右側からの正面視において時計方向に回転させると、今度は同方向に回転する引上げアーム１２４がその先端部１２４ａを、小洗浄用の玉鎖７０に引掛けてこれを引き上げる。
【００５０】
本実施形態において、空気抜き弁５８をばね６０の付勢力に抗して上向きに引き上げて開弁させるのに必要な力は、閉弁状態のフラッパ弁２２をタンク１０内の洗浄水の圧力に抗して引き上げ、開弁させるのに必要な力よりも小さく設定してあり、従って小洗浄用の玉鎖７０が引き上げられると、空気抜き弁５８が先ず引き上げられて開弁し、そしてこの空気抜き弁５８の開弁を伴ってフラッパ弁２２が引き上げられる。
ここにおいてフラッパ弁２２が開弁し、タンク内の洗浄水が便器に向けて少量排出され、便器の小洗浄が行われる。
このとき、大洗浄用の玉鎖３６は引上げアーム１２４によって引き上げられることはなく、取付部１１６から下向きに垂れ下がったままである。
【００５１】
ヘッド部１１４は、更に、図６及び図７に示しているように引上げアーム１２４に対してスピンドル部９６の軸方向の前後の位置で、取付部１１６，１１８から引上げアーム１２４に沿って下向きに延びる、前後に対向した各一対の板状のガイド壁１２８を有する、大洗浄側の外れ防止部（第２外れ防止部）１３０と、小洗浄側の外れ防止部（第２外れ防止部）１３２とを備えている。
【００５２】
大洗浄側の外れ防止部１３０は、大洗浄用の玉鎖３６に対するガイド壁１２８の前後方向の当接作用により、引上げアーム１２４に沿った垂れ下り位置にある大洗浄用の玉鎖３６が、その垂れ下り位置から前後方向に外れ防止する働きを有している。
【００５３】
同様に小洗浄側の外れ防止部１３２もまた、小洗浄用の玉鎖７０に対するガイド壁１２８の前後方向の当接作用により、引上げアーム１２４に沿った垂れ下り位置から小洗浄用の玉鎖７０が前後方向に外れるのを防止する働きを有する。
【００５４】
これら外れ防止部１３０及び１３２による玉鎖の外れ防止は、次のような意味を有している。
タンクの種類やサイズ等によっては、玉鎖３６，７０の上端側の取付部１１６，１１８への取付位置と、フラッパ弁２２側の下端側の位置とが、スピンドル部９６の軸方向の前後に一定以上異なる場合がある。
【００５５】
この場合、上記のガイド壁１２８を有する外れ防止部１３０，１３２が設けてないと、図１０の比較例図に示すように大洗浄用の玉鎖３６，小洗浄用の玉鎖７０が、それぞれ引上げアーム１２４に沿った垂れ下り位置から前後方向に外れてしまうことがある。
そのような状態になると、引上げアーム１２４を回転させても、その先端部１２４ａを玉鎖３６，７０の予め定めた位置に引掛けて、これを引上げ動作することができなくなってしまう。
そこでここでは、一対のガイド壁１２８を有する外れ防止部１３０，１３２を設けてこれを防止するようになしている。
【００５６】
ヘッド部１１４はまた、引上げアーム１２４の回転時に垂れ下り側となる玉鎖が取付部から左右方向外方に外れるのを防止する、上記とは別の外れ防止部（第１の外れ防止部）として、大洗浄側の外れ防止部１３４と、小洗浄側の外れ防止部１３６とを備えている。
【００５７】
ここで外れ防止部１３４，１３６は、それぞれ取付部１１６，１１８からガイド壁１２８に沿って湾曲しながら下向きに延びるカバー部１３８と、取付部１１６，１１８の挿通孔１２０に続いてカバー部１３８に設けられたスリット１４０とを有している。
【００５８】
ここでカバー部１３８は、図８に示しているように取付部１１６，１１８に取り付けられた、上下に隣接した一対の玉３８ａ，３８ｂのうちの下側の玉３８ｂを内部に収容する状態に、下側の玉３８ｂを左右方向の外方から覆う形状をなしている。
【００５９】
尚スリット１４０は、玉鎖３６，７０を取付部１１６，１１８に取り付けるに当って、図９に示すように玉鎖３６，７０における繋ぎ材４０を、カバー部１３８を通過して取付部１１６，１１８の挿通孔１２０に持ち来すためのものである。
このときには、図９に示すように下側の玉３８ｂをカバー部１３８の内側に先ず嵌め入れた状態とし、その状態でスリット１４０に沿って繋ぎ材４０を上側の玉３８ａとともに取付部１１８，１１６側に移動させる。
ここでカバー部１３８の下端には、繋ぎ材４０をスリット１４０に向けて案内する傾斜形状の案内部１４４が設けてある。
【００６０】
尚、ヘッド部１１４の上端からは、引上げアーム１２４に連続して補強用のリブ１４２がスピンドル部９６に向って延びている。
この補強用のリブ１４２は、引上げアーム１２４の一部を成していると考えることもできる。
【００６１】
次に本実施形態の作用を説明する。
この実施形態において、洗浄ハンドル９４が図５に示す中立位置にあるとき、図１１（Ｉ）に示しているようにフラッパ弁２２は閉弁状態にあり、またフロート８４は水中に没した位置で浮力によりストッパ９０に上向きに当接した状態にある。
またこのとき、フラッパ弁２２に設けられている空気室５０の内部は空気で満たされている。
【００６２】
この状態から洗浄ハンドル９４を大洗浄側、つまり上記した反時計方向に回転させると、レバー部１１２に設けられた引上げアーム１２４が同方向に回転し、そしてその先端部１２４ａを、大洗浄用の玉鎖３６の、取付部１１６から設定距離下側の部位を引掛けて玉鎖３６を一定の所要の距離だけ引き上げる。
このとき大洗浄用の玉鎖３６は、図１においてオーバーフロー管２４に接近する側に引張られながら引き上げられる。
これにより、図１１（II）に示しているようにフラッパ弁２２が玉鎖３６によって直接持ち上げられ、開弁する。
開弁したフラッパ弁２２は（フラッパ弁２２は設定した最大開弁位置に到ると図示を省略するフラッパ弁ストッパにて更なる回転が阻止される）、依然として水中に没した状態のフロート８４による浮力と，空気チャンバ４８による浮力とによって，その後も開弁状態に維持され、タンク１０内の洗浄水が排水口２０から便器に向けて排出される。
【００６３】
タンク１０内の洗浄水の排出に伴って、タンク内の水位Ｗは降下していく。
そして図１２（III）に示しているように、水位Ｗがフロート８４の上端から一定距離下側位置まで下がったところで、フロート８４に作用する浮力とフロート８４自体の重力とがバランスした状態となり、その後フロート８４は水位Ｗの降下に連れて玉鎖７０に沿って下向きに移動して行く。
【００６４】
尚このとき、空気チャンバ４８の内部の空気室５０は依然として空気で満たされた状態にあり、従って空気チャンバ４８に対しては引き続き浮力が作用しており、図１２（IV）に示すようにフロート８４が水位Ｗの降下に連動して下向きに移動しても、フラッパ弁２２は依然として開弁状態に保持されている。
従って図１２（IV）に示しているように、フロート８４はストッパ９０から離れて単独で小洗浄側の玉鎖７０に沿って下向きに移動していく。
【００６５】
単独で下向きに移動したフロート８４は、ストッパ９０から離れて一定距離下がったところで、図１３（Ｖ）に示しているように筒体７４の上端に当接するに到る。
この状態から水位Ｗが更に降下すると、フロート８４に対する浮力はますます減少し、これに伴ってフロート８４の重みが筒体７４にかかり、且つ水位Ｗの降下に伴って筒体７４に加わる重みが増大していく。
【００６６】
即ち筒体７４をフロート８４が下向きに押す力が漸次増大していく。
そしてその下向きの力が、空気チャンバ４８に対する浮力よりも打ち勝つに到ると、フラッパ弁２２が開弁状態を維持できなくなって、その後は水位Ｗの降下に伴ってフラッパ弁２２が閉弁開始し、最終的にフラッパ弁２２が完全閉弁状態となる。
ここにおいて排水口２０からの洗浄水の放出が停止する。
【００６７】
一方洗浄ハンドル９４を大洗浄時とは逆の小洗浄側、つまり上記の時計方向に回転させると、今度はレバー部１１２の引上げアーム１２４がその先端部１２４ａを、小洗浄用の玉鎖７０に引掛けて、詳しくは小洗浄用の玉鎖７０の、取付部１１８から設定距離下側の部位に引掛けて、玉鎖７０を一定の所要距離だけ引き上げる。
このときには小洗浄用の玉鎖７０は、図１においてオーバーフロー管２４から離れる側に引張られながら上向きに引き上げられる。
【００６８】
このとき、フラッパ弁２２が閉弁した状態の下で先ず切替機構４６の空気抜き弁５８が、ばね６０の付勢力に抗して上向きに引き上げられて開弁する。
すると空気室５０の上端の開口５７が開放状態となって、流入口７２を通じ空気室５０にタンク１０内の水が流入して、空気室５０を水で埋める。
【００６９】
上向きに引き上げられた空気抜き弁５８が、ハウジング４７の上壁部８２に当ると、小洗浄用の玉鎖７０による引上げ力がフラッパ弁２２自体に及ぼされ、ここにおいてフラッパ弁２２が開弁動作する。
このとき、弁座４４から離れたフラッパ弁２２は速やかにばね６０の付勢力で空気抜き弁５８に対し相対的に上向き移動する。即ち一旦開弁した空気抜き弁５８が、その後速やかにもとの閉弁状態に戻る。
そしてその状態でフラッパ弁２２が小洗浄用の玉鎖７０により引き上げられ、その後最大開弁状態となる（図１４（Ｉ）参照）。
【００７０】
フラッパ弁２２の開弁によって、タンク１０内の洗浄水は排出され、水位Ｗはその排出に伴って降下していく。
そして図１４（II）に示すようにフロート８４の頭が僅かに水面から露出した位置となると、そこでフロート８４に対する浮力とフロート８４に対して下向きに加わる力とが釣り合った状態となり（大洗浄時と異なって、小洗浄時には空気チャンバ４８に対して浮力は働いていない）、その後は水位Ｗの降下と一緒にフロート８４が降下即ち下向きに移動し、これに伴ってフラッパ弁２２は弁開度を漸次少なくしていき、そして図１５（III）に示すように最終的に弁座４４に着座して完全閉弁状態となる。
【００７１】
この間、空気チャンバ４８に対して浮力は働いていないため、フロート８４はストッパ９０に当った状態を維持したまま、即ち筒体７４との間に一定の距離を隔てた状態を維持したまま、水位Ｗの降下と一緒に下向きに移動していく。
そのためにこの小洗浄時においては、フラッパ弁２２が完全開弁してから閉弁開始するまでの時間が短く、即ち大洗浄時に較べて早い段階で閉弁開始し、閉弁状態に到る。
そのため、小洗浄時においては洗浄水の排出水量が少なく、少ない水量で便器洗浄（小洗浄）を行う。
【００７２】
以上は洗浄ハンドル９４が右側のタンク壁１８Ｒに取り付けられた場合、即ち右ハンドルの場合の例であるが、本実施形態では洗浄ハンドル９４が左側のタンク壁１８Ｌに取り付けられた場合、即ち左ハンドルの場合にも、そのまま対応することが可能である。
【００７３】
図１６は、洗浄ハンドル９４が左側のタンク壁１８Ｌに取り付けられた場合の例を示している。
この場合には、フラッパ弁２２に備えられた左側の取付部４２Ｌが用いられ、レバーアーム９２から垂れ下った大洗浄用の玉鎖３６の下端側が、その左側の取付部４２Ｌに取り付けられる。
尚小洗浄用の玉鎖７０については、その取付位置は上記と同じである。
即ち小洗浄用の玉鎖７０の下端側は、フラッパ弁２２の左右方向の中心位置であって且つタンク１０の左右方向の中心位置にあるフラッパ弁２２の取付部６８に、つまりフラッパ弁２２に備えられた空気抜き弁５８の取付部６８に取り付けられる。
【００７４】
尚図１６に示す左ハンドルの場合には、レバーアーム９２の向きが図１に示すものに対して左右逆向きとなり、この場合には図６に示す取付部１１８が大洗浄側の取付部となって、そこに大洗浄用の玉鎖３６が取り付けられ、また図６の取付部１１６が小洗浄側の取付部となって、そこに小洗浄用の玉鎖７０が取り付けられる。
そして図１６における洗浄ハンドル９４の回転方向は、洗浄ハンドル９４に対して左側から見た正面視において洗浄ハンドル９４を時計方向に回転操作したときが大洗浄時の操作となり、また反時計方向に回転操作したときが小洗浄のための操作となる。
尚、図１に示す洗浄ハンドル９４及びレバーアーム９２と、図１６に示す洗浄ハンドル９４及びレバーアーム９２とは同一のものである。
【００７５】
以上のように本実施形態によれば、洗浄ハンドル９４が右側のタンク壁１８Ｒに取り付けられる右ハンドルの場合には、右側位置の取付部４２Ｒに玉鎖３６を接続し、また洗浄ハンドル９４が左側のタンク壁１８Ｌに取り付けられる左ハンドルの場合には、左側位置の取付部４２Ｌに玉鎖３６を接続することで、更にはフラッパ弁２２の左右方向の中心位置の取付部６８に玉鎖７０の下端側を接続することで同じフラッパ弁２２を用いて右ハンドルと左ハンドルとの何れにも対応することが可能である。
これにより必要なフラッパ弁の種類を少なくし、コストダウンを図ることができる。
【００７６】
以上本発明の実施形態を詳述したがこれはあくまで一例示であり、本発明は引上げ材として上記の玉鎖以外の形態のものを用いることも可能であるし、またフラッパ弁が上例以外の他の形態をなすタンク内洗浄水の排出装置に対しても適用可能である等、本発明はその趣旨を逸脱しない範囲において種々変更を加えた形態で構成可能である。
【符号の説明】
【００７７】
１０  洗浄タンク
１６  底部
１８，１８Ｒ，１８Ｌ  タンク壁
２２  フラッパ弁
３６  玉鎖（第１引上げ材）
４２Ｒ，４２Ｌ  取付部
６８  取付部
７０  玉鎖（第２引上げ材）
９２  レバーアーム
９４  洗浄ハンドル
【図１】
0005625195.tif 000002
【図２】
0005625195.tif 000003
【図３】
0005625195.tif 000004
【図４】
0005625195.tif 000005
【図５】
0005625195.tif 000006
【図６】
0005625195.tif 000007
【図７】
0005625195.tif 000008
【図８】
0005625195.tif 000009
【図９】
0005625195.tif 000010
【図１０】
0005625195.tif 000011
【図１１】
0005625195.tif 000012
【図１２】
0005625195.tif 000013
【図１３】
0005625195.tif 000014
【図１４】
0005625195.tif 000015
【図１５】
0005625195.tif 000016
【図１６】
0005625195.tif 000017